(57)【特許請求の範囲】
【請求項１】
底泥を水ごと吸引して底泥スラリとして圧送する送水ポンプと、
前記底泥スラリに凝集剤を添加して前記底泥を凝集沈降させる凝集分離槽と、
前記凝集剤によって凝集沈降した底泥を脱水する脱水部と、を有する浚渫システムにおいて、
サイクロン型の遠心分離装置を備え前記送水ポンプで圧送された底泥スラリから重量物及び夾雑物を除去するスラリ分離部と、
前記スラリ分離部を通過した底泥スラリに比表面積が０．１２ｍ２／ｇ〜０．３６ｍ２／ｇ、見掛密度が１．３ｇ／ｃｍ３〜１．５ｇ／ｃｍ３で、サイクロン型の遠心分離装置にて分離が可能な粒径０．１ｍｍ〜１ｍｍの多孔質鉄粒を添加して攪拌し、前記底泥スラリ中に溶出している重金属成分を前記多孔質鉄粒に吸着させる鉄粒混合部と、
前記多孔質鉄粒を重金属成分ごと前記スラリ分離部の遠心分離装置と同様の１台のサイクロン型の遠心分離装置により分離して、分離後の底泥スラリを前記凝集分離槽に送出する鉄粒遠心分離部と、をさらに有し、
前記凝集剤が凝集後の底泥中の固体の重金属成分の溶出を抑制し且つ水のｐＨを変化させない石膏を主成分とした無機中性凝集剤であり、
さらに、前記鉄粒混合部が、底泥スラリに前記多孔質鉄粒を添加する鉄粒添加槽と、多孔質鉄粒と底泥スラリとを攪拌しながら維持する鉄粒混合槽と、を有し、
前記鉄粒添加槽と鉄粒混合槽とは、各槽の下方に位置する連結管によって直列に連結され、前記鉄粒混合槽の連結数によって底泥スラリの停留時間を調節することを特徴とする浚渫システム。
【請求項２】
鉄粒遠心分離部が鉄粒添加槽の上方に位置し、分離した多孔質鉄粒を前記鉄粒添加槽に排出することを特徴とする請求項１記載の浚渫システム。
【請求項３】
スラリ分離部から鉄粒混合部までの底泥スラリの搬送を送水ポンプによる圧送と自然流下によって行い、前記鉄粒混合部から脱水部までの底泥スラリの搬送を鉄粒遠心分離部に底泥スラリを搬送する第２送水ポンプによる圧送と自然流下によって行うことを特徴とする請求項１または請求項２に記載の浚渫システム。
【請求項４】
無機中性凝集剤として、アルミナ・ケイ酸塩を主体とする天然鉱物３０〜５０重量％と硫酸カルシウム４５〜６５重量％と有機系凝集剤１〜５重量％とから成る主成分１００重量部に対し、硫酸アルミニウム３０〜５０重量部、塩化アルミニウム５〜１０重量部、およびアルカリ金属炭酸塩２０〜４０重量部が配合されたものを用いることを特徴とする請求項１乃至請求項３のいずれかに記載の浚渫システム。
【発明の詳細な説明】
【技術分野】
【０００１】
本発明は、貯水池の底に溜まった底泥を水ごと吸引して、重金属成分を除去及び不溶化した後、底泥を分離回収する浚渫システムに関するものである。
【背景技術】
【０００２】
従来、湖沼や堀、人工池、農業用ため池等の貯水池には、土や砂、ゴミ、ヘドロ等の底泥が徐々に堆積してゆく。これら、底泥の堆積は貯水池の水深を浅くして貯水池本来の機能を低下させる他、水質の悪化を引き起こす一因となる。よって、これら底泥を除去する浚渫を定期的に行うことが好ましい。
【０００３】
従来の貯水池の浚渫は、貯水池の水を抜いた上で重機等により行うことが一般的であった。しかしながら、この手法では貯水池への水の遮水と貯水池の水の排水が必要となり、何らかの土木工事が必要であるとともに作業期間が長く、コスト高であるという問題点がある。また、浚渫作業中には貯水池を使用できないという問題点がある。さらに、貯水池の水が抜き取られるため、貯水池に生息する水生動植物が死滅し、貯水池の生態系に多大な悪影響を与えるという問題点がある。
【０００４】
この問題点に対し、本願発明者らは下記［特許文献１］に示す湖沼水の浚渫システムに関する発明を行った。この［特許文献１］に記載の発明は、貯水池の水面に浮かべた台船から送水ポンプを吊下げ、この送水ポンプで底泥を吸引し浚渫を行う。このため、貯水池の遮水作業、排水作業が不要で、作業期間の短縮と、抵コスト化とを実現することができる。また、貯水池の水を抜き取ることなく浚渫を行うことが可能なため、貯水池に生息する動植物の生態系を維持することができる。さらに、［特許文献１］に記載の発明ではカルシウムを主成分とした無機中性凝集剤を用いているため、分離回収した底泥を培養土としてそのまま植物栽培に使用することができる。
【０００５】
しかしながら、ヒ素等の重金属成分を多く含む水や土砂が流入したり、自然由来にて生じた重金属成分が存在する貯水池では、この重金属成分の濃度が環境基準を超える場合がある。このような貯水池を浚渫して回収した底泥は重金属成分を多く含むため土壌汚染防止法により植物の培養土には使用できず、産業廃棄物として処分する必要があり、処理コストが掛るという問題点が有る。この問題点に対し下記［特許文献２］には泥水中に１５０μｍ〜３００μｍの鉄粉を混合して泥水中に溶出した重金属成分を吸着した後、鉄粉を重金属成分ごと分離して除去する重金属汚染土壌の無害化処理システムに関する発明が開示されている。
【０００６】
また、例えば下記［特許文献３］では、凝集物の脱水ケーキからの金属類の溶出を抑制する無機中性凝集剤に関する発明が開示されている。
【先行技術文献】
【特許文献】
【０００７】
【特許文献１】特開第６３５９９０２号公報
【特許文献２】特開２０１７−１４８７６０号公報
【特許文献３】特開第２７７４０９６号公報
【発明の概要】
【発明が解決しようとする課題】
【０００８】
上記の［特許文献２］に記載の発明は、泥水中の鉄粉を磁性を用いて分離する。しかしながら、この磁性を用いた分離方法は効率が悪く、大量の水を底泥ごと吸引して処理する［特許文献１］に記載の発明には適用することができない。また、［特許文献２］に記載の発明では土中の（水中に溶出していない）重金属成分を除去するために、水のｐＨ調整を行って土中の重金属成分を水中に溶出させる必要がある。しかしながら［特許文献１］に記載の発明では、底泥を分離した後の水を貯水池に戻すことで生態系の維持を図る。このため、ｐＨ調整等の水質を変化させる薬剤を添加することができず、よって［特許文献２］に記載の技術を［特許文献１］に記載の発明に適用することができない。
【０００９】
本発明は上記事情に鑑みてなされたものであり、水質を大きく変化させずに重金属成分を除去もしくは不溶化して、水は貯水池に環流し底泥は培養土として回収する浚渫システムの提供を目的とする。
【課題を解決するための手段】
【００１０】
本発明は、
（１）底泥を水ごと吸引して底泥スラリとして圧送する送水ポンプ２０と、前記底泥スラリに凝集剤を添加して前記底泥を凝集沈降させる凝集分離槽５０と、前記凝集剤によって凝集沈降した底泥を脱水する脱水部８０と、を有する浚渫システムにおいて、
サイクロン型の遠心分離装置を備え前記送水ポンプ２０で圧送された底泥スラリから重量物及び夾雑物を除去するスラリ分離部（遠心分離部３０及び夾雑物選別部４０）と、
前記スラリ分離部を通過した底泥スラリに比表面積が０．１２ｍ２／ｇ〜０．３６ｍ２／ｇ、見掛密度が１．３ｇ／ｃｍ３〜１．５ｇ／ｃｍ３で、サイクロン型の遠心分離装置にて分離が可能な粒径０．１ｍｍ〜１ｍｍの多孔質鉄粒を添加して攪拌し、前記底泥スラリ中に溶出している重金属成分を前記多孔質鉄粒に吸着させる鉄粒混合部７０と、
前記多孔質鉄粒を重金属成分ごと前記スラリ分離部の遠心分離装置と同様の１台のサイクロン型の遠心分離装置により分離して、分離後の底泥スラリを前記凝集分離槽５０に送出する鉄粒遠心分離部７６と、をさらに有し、
前記凝集剤が凝集後の底泥中の固体の重金属成分の溶出を抑制し且つ水のｐＨを変化させない石膏を主成分とした無機中性凝集剤であり、
さらに、前記鉄粒混合部７０が、底泥スラリに前記多孔質鉄粒を添加する鉄粒添加槽７２ａと、多孔質鉄粒と底泥スラリとを攪拌しながら維持する鉄粒混合槽７２ｂと、を有し、前記鉄粒添加槽７２ａと鉄粒混合槽７２ｂとは、各槽の下方に位置する連結管によって直列に連結され、前記鉄粒混合槽７２ｂの連結数によって底泥スラリの停留時間を調節することを特徴とする浚渫システム１００を提供することにより、上記課題を解決する。
（２）鉄粒遠心分離部７６が鉄粒添加槽７２ａの上方に位置し、分離した多孔質鉄粒を前記鉄粒添加槽７２ａに排出することを特徴とする上記（１）記載の浚渫システム１００を提供することにより、上記課題を解決する。
（３）スラリ分離部から鉄粒混合部７０までの底泥スラリの搬送を送水ポンプ２０による圧送と自然流下によって行い、鉄粒混合部７０から脱水部８０までの底泥スラリの搬送を鉄粒遠心分離部７６に底泥スラリを搬送する第２送水ポンプ７４による圧送と自然流下によって行うことを特徴とする上記（１）または（２）に記載の浚渫システム１００を提供することにより、上記課題を解決する。
（４）無機中性凝集剤として、アルミナ・ケイ酸塩を主体とする天然鉱物３０〜５０重量％と硫酸カルシウム４５〜６５重量％と有機系凝集剤１〜５重量％とから成る主成分１００重量部に対し、硫酸アルミニウム３０〜５０重量部、塩化アルミニウム５〜１０重量部、およびアルカリ金属炭酸塩２０〜４０重量部が配合されたものを用いることを特徴とする上記（１）乃至（３）のいずれかに記載の浚渫システム１００を提供することにより、上記課題を解決する。
【発明の効果】
【００１１】
本願発明の浚渫システムは、水中に溶出している重金属成分に関しては多孔質鉄粒が捕集除去する。また、底泥中の重金属成分は無機中性凝集剤が固定不溶化し外部への溶出を防止する。さらに、本願発明が使用する無機中性凝集剤は添加の前後で水質を大きく変化させず、また動植物に有害な成分を含有しない。よって、本願発明の浚渫システムにより分離した水は貯水池にそのまま放流することが可能であり、貯水池の機能を維持したまま浚渫作業を行うことができる。また、貯水池に生息する動植物の生態系を維持することができる。また、浚渫により生じた脱水底泥は重金属成分が溶出しないため植物栽培用の培養土として使用することができる。これにより、環境に対する負荷を軽減することができる。また、本発明に係る浚渫システムは、多孔質鉄粒の分離を遠心分離装置のみで行う。これにより、多孔質鉄粒の分離を短時間で効率良く行う事が可能となり、底泥スラリに対する高い処理能力を有する。
【図面の簡単な説明】
【００１２】
【図１】本発明に係る浚渫システムを示す図である。
【図２】本発明に係る浚渫システムの送水ポンプ及び台船を示す図である。
【図３】多孔質鉄粒の攪拌時間とヒ素の濃度の関係を示すグラフである。
【図４】本発明に係る浚渫システムの脱水部を示す図である。
【図５】各処理条件における上澄み液のヒ素濃度と脱水底泥の溶出試験結果を示す表である。
【発明を実施するための形態】
【００１３】
本発明に係る浚渫システム１００の実施の形態について図面に基づいて説明する。図１に示す本発明に係る浚渫システム１００は、基本構成として、貯水池の底泥を水ごと吸引して底泥スラリとして圧送する送水ポンプ２０と、この送水ポンプ２０により搬送される底泥スラリから底泥を分離回収する分離処理装置９０と、を有している。そして、分離処理装置９０は、送水ポンプ２０によって搬送される底泥スラリ中の砂や小石等の重量物を遠心分離により除去する遠心分離部３０と、この遠心分離部３０を通過した底泥スラリから植物片やゴミ等の夾雑物を除去する夾雑物選別部４０と、この夾雑物選別部４０を通過した底泥スラリ中に多孔質鉄粒を添加混合してスラリ中に溶出した重金属成分を吸着捕集する鉄粒混合部７０と、この多孔質鉄粒を重金属成分ごと遠心分離により分離する鉄粒遠心分離部７６と、この鉄粒遠心分離部７６で分離した底泥スラリに無機中性凝集剤を添加し底泥を凝集沈降させる凝集分離槽５０と、この凝集分離槽５０で凝集沈降した底泥（凝集底泥）を濃縮する濃縮槽６０と、この濃縮槽６０で濃縮された底泥（濃縮底泥）を脱水する脱水部８０と、を有している。尚、このうち、遠心分離部３０と夾雑物選別部４０とが本願発明のスラリ分離部を構成する。
【００１４】
次に、本発明に係る浚渫システム１００に好適な送水ポンプ２０の一具体例の構成を図２の部分断面図を用いて説明する。本発明に好適な送水ポンプ２０は、１％〜２０％程度のＳＳ濃度（浮遊物質濃度）のスラリを圧送可能なものであり、モータを内蔵し防水性を有するポンプ本体部２１と、このポンプ本体部２１の下部に設置されたケーシング２２と、このケーシング２２内に設置されモータによって回転動作するインペラ２３と、ケーシング２２の取水口に設置されたカッタ２４と、モータによって回転動作し斜め下方を向いた羽根を複数備えた攪拌羽根２６と、ケーシング２２の下方に延びた脚部２８と、を有している。また、ケーシング２２からはホース接続端２２ａが伸び、このホース接続端２２ａに送水ホース１２の一端が接続する。そして、送水ポンプ２０は貯水池の水面に浮いた台船１０から適宜水中に吊下げて使用し、送水ポンプ２０で吸引された底泥スラリは送水ホース１２によって分離処理装置９０に搬送される。また、送水ポンプ２０の電源ケーブル１５ａは、送水ホース１２に沿って陸上まで延伸され、分離処理装置９０側の図示しない送水ポンプ制御盤を介して発電機等の電源に接続される。
【００１５】
送水ホース１２は送水ポンプ２０と接続可能であれば如何なるものを用いても良いが、内径６５ｍｍ程度のものを用いることが好ましい。また、送水ホース１２にはフロート１８が所定の間隔で設置され、電源ケーブル１５ａ（１５ｂ）とともに貯水池の水面に支持される。
【００１６】
また、台船１０は送水ポンプ２０及び作業者を搭載しても貯水池の水面に浮く十分なフロートを備え、台船１０の略中央部分には送水ポンプ２０を貯水池内に昇降する昇降口１１を有している。また、昇降口１１の上部には送水ポンプ２０を吊下げる櫓１４が設置され、この櫓１４の上部には送水ポンプ２０を昇降する昇降機１６が設置されている。尚、昇降機１６の電源ケーブル１５ｂは、送水ポンプ２０の電源ケーブル１５ａとともに送水ホース１２に沿って陸上まで延伸され図示しない電源に接続される。
【００１７】
次に、分離処理装置９０の構成を図１を用いて説明する。先ず、分離処理装置９０の遠心分離部３０は、周知のサイクロン型の遠心分離装置であり、外筒３２ａと内筒３２ｂとを有している。そして、外筒３２ａの上部には送水ホース１２が横方向に向けて接続する。また、外筒３２ａの下部はホッパ部３４となっており、ホッパ部３４には開閉コック３６ａにより開閉する排出口３６が設置されている。そして、内筒３２ｂには夾雑物選別部４０と繋がる配管５ａが接続されている。尚、分離処理装置９０の各部を繋ぐ配管５ａ〜５ｄ及び水配管７ａ、７ｂとしては、ホースや金属配管等の周知の配管設備を用いることができる。
【００１８】
また、夾雑物選別部４０は、底泥スラリ中の夾雑物を取り除く夾雑物選別装置４２を有している。この夾雑物選別装置４２としては、所定の大きさ以上の夾雑物を取り除くことが可能であれば如何なる装置を用いても良いが、２ｍｍ程度のスリットを有する周知のベルトスクリーンを用いることが特に好ましい。また、夾雑物選別部４０には流量測定升４４を設け、送水ポンプ２０が吸引する底泥スラリの流量を確認可能とすることが好ましい。
【００１９】
また、鉄粒混合部７０は、前述のように底泥スラリ中に多孔質鉄粒を添加して攪拌し、底泥スラリ中に溶出している重金属成分を多孔質鉄粒に吸着させるためのものであり、多孔質鉄粒を添加する鉄粒添加槽７２ａと、多孔質鉄粒と底泥スラリとを攪拌しながら維持する鉄粒混合槽７２ｂと、の複数の槽で構成する。尚、このように鉄粒添加槽７２ａと鉄粒混合槽７２ｂとを分けることで、十分な重金属成分の吸着時間が確保でき、水中に溶出した重金属成分の捕集を効率的に行うことができる。そして、鉄粒混合槽７２ｂ及び各鉄粒混合槽７２ｂには、底泥スラリと多孔質鉄粒とを混合攪拌する周知の攪拌装置５２を有する。また、最も下流に位置する鉄粒混合槽７２ｂには第２送水ポンプ７４が接続し、この最下流に位置する鉄粒混合槽７２ｂ内の底泥スラリを多孔質鉄粒ごと吸引し送水ホース１２ａを介して鉄粒遠心分離部７６に圧送する。
【００２０】
ここで、本発明に係る浚渫システム１００で使用する多孔質鉄粒とは、水中に溶出している重金属成分（カドミウム、クロム、セレン、鉛、ヒ素、フッ素、ホウ素等やその化合物）を吸着可能な多数の微細孔を表面に有する鉄材の顆粒であり、例えば比表面積が０．１２ｍ２／ｇ〜０．３６ｍ２／ｇ、見掛密度が１．３ｇ／ｃｍ３〜１．５ｇ／ｃｍ３のものを用いる。また、形状に関しては球、フレーク状、塊状、如何なるものを用いても構わない。ただし、その粒径はサイクロン型の遠心分離装置にて分離が可能な０．１ｍｍ〜１ｍｍの範囲内のものを用いる。
【００２１】
ここで、底泥スラリ中に溶出しているヒ素の濃度（ｍｇ／Ｌ）と多孔質鉄粒の攪拌時間（処理時間：ｍｉｎ）との関係を図３のグラフに示す。尚、多孔質鉄粒の量は底泥スラリ１Ｌ当たり２０ｇとした。この図３のグラフから、多孔質鉄粒の攪拌時間、即ち底泥スラリと多孔質鉄粒との接触時間が長い程、重金属成分（ヒ素）の吸着捕集が進み、底泥スラリ中に溶出しているヒ素の濃度が低下することが判る。ここで、土壌汚染防止法におけるヒ素濃度の基準値は０．０１ｍｇ／Ｌ以下であるため、上記の条件では多孔質鉄粒の攪拌時間、即ち鉄粒混合部７０における底泥スラリの停留時間は４０分以上が必要であり、吸着がほぼ完了する９０分が好ましいことがわかる。尚、この鉄粒混合部７０での停留時間は底泥スラリ中に溶出している重金属成分の濃度によって変化する。よって、浚渫を行う貯水池ごとに測定等を行い、最適な停留時間を取得することが好ましい。
【００２２】
ただし、鉄粒混合部７０での停留時間に合わせて底泥スラリの搬送量を設定すると、浚渫システム１００全体としての浚渫効率が低下する可能性が有る。よって、鉄粒混合部７０における停留時間の調整は鉄粒混合部７０（鉄粒添加槽７２ａ及び鉄粒混合槽７２ｂ）の容量にて行うことが好ましい。ただし、容量の異なる槽を複数準備するのは設備コストや保管スペースの面から好ましくない。よって、鉄粒混合槽７２ｂの連結個数により鉄粒混合部７０の容量を調整し目的の停留時間以上とする。尚、本例では浚渫システム１００の流量を約１０ｍ３／ｈｒとし、容量５ｍ３の鉄粒添加槽７２ａと鉄粒混合槽７２ｂとを全体で３台（鉄粒添加槽７２ａ×１台、鉄粒混合槽７２ｂ×２台：総容量１５ｍ３）連結することで、鉄粒混合部７０での停留時間を９０分としている。
【００２３】
また、鉄粒遠心分離部７６は遠心分離部３０と同様の周知のサイクロン型の遠心分離装置であり、外筒３２ａと内筒３２ｂとを有している。そして、鉄粒遠心分離部７６の外筒３２ａの上部には第２送水ポンプ７４から延びた送水ホース１２ａが横方向に向けて接続する。また、外筒３２ａの下部はホッパ部３４となっており、ホッパ部３４の先側には開閉コック３６ａにより開閉する排出口３６が設置されている。そして、内筒３２ｂには凝集分離槽５０へと繋がる配管５ｄが接続している。そして、比重の軽い底泥スラリは内筒３２ｂを通って凝集分離槽５０へ吐出され、比重の重い多孔質鉄粒は重金属成分を吸着したままホッパ部３４に沿って沈降堆積して排出口３６から排出される。このとき、鉄粒遠心分離部７６を鉄粒添加槽７２ａの上方に設けるとともに排出口３６を適宜開閉して、鉄粒遠心分離部７６で遠心分離した多孔質鉄粒を鉄粒添加槽７２ａに吐出して再利用することが好ましい。尚、多孔質鉄粒は複数回使用することで徐々に吸着能力が低下する。よって、例えば底泥スラリの累積処理水量もしくは累積処理時間もしくは再使用回数が予め設定された値を超えるなどして多孔質鉄粒の吸着能力が不十分となると、作業者は多孔質鉄粒の排出方向を鉄粒回収部７８側へ切り替える。これにより、多孔質鉄粒は鉄粒回収部７８へと排出され、重金属成分を吸着したまま法律に準拠した然るべき処理方法によって処分される。尚、処分される多孔質鉄粒の量は底泥の量に比較して少ないため、処分コストの削減を図ることができる。また、古い多孔質鉄粒が回収されると、鉄粒混合部７０には新たな多孔質鉄粒が供給される。
【００２４】
また、凝集分離槽５０は、鉄粒遠心分離部７６で分離した底泥スラリが流入する内槽５０ｂを有しており、この内槽５０ｂの上方には無機中性凝集剤を投入する凝集剤投入部５１が設置されている。また、底泥スラリと無機中性凝集剤とを混合攪拌する攪拌装置５２が設置されている。そして、凝集分離槽５０の下部は略円錐形のホッパ部５０ａとなっており、このホッパ部５０ａの先側には濃縮槽６０と繋がる配管５ｂが接続している。また、凝集分離槽５０の上部には凝集分離槽５０の上澄み水を貯水池に放流する水配管７ａが接続している。
【００２５】
また、濃縮槽６０は、凝集分離槽５０で凝集沈降した凝集底泥を静置してさらに濃縮する機能を有し、上部に凝集分離槽５０と繋がった配管５ｂが接続している。また、濃縮槽６０の下部は略円錐形のホッパ部６０ａとなっており、このホッパ部６０ａの先側には濃縮槽６０で濃縮された濃縮底泥を脱水部８０に送る配管５ｃが接続している。また、濃縮槽６０の上部には濃縮槽６０の上澄み水を貯水池に放流する水配管７ｂが接続している。
【００２６】
尚、分離処理装置９０は凝集分離槽５０、濃縮槽６０の上澄み水を一旦貯水して適宜貯水池に放流する水循環槽を有しても良い。この構成によれば、水循環槽に貯水した上澄み水を設備の洗浄等に利用することができる。これにより、水道栓が分離処理装置９０の近傍に存在しない場合でも、設備の洗浄等の作業を円滑に行うことができる。また、洗浄に関する水道費用を削減することができる。
【００２７】
次に、本発明に係る浚渫システム１００に好適な脱水部８０の構成を図４を用いて説明する。本発明に好適な脱水部８０は、布製でベルト状の濾布８２と、スラリ（濃縮底泥）を濾布８２上に堆積させるスラリーダム部８１と、濾布８２上のスラリの過剰な水分を吸引する吸引部８３と、大ローラ８６ａと複数の小ローラ８６ｂとを有し、この大ローラ８６ａと小ローラ８６ｂとの間隙を通過することで濾布８２上のスラリを圧接し脱水するベルトプレス部８６と、脱水した底泥を濾布８２上から剥離するスクレイパ８７と、を有している。そして、濾布８２を送る搬送ローラ８４が回転することで、濾布８２はスラリーダム部８１と吸引部８３とベルトプレス部８６とを略一定の速度で連続的に移動する。
【００２８】
次に、本発明に係る浚渫システム１００の動作を説明する。先ず、分離処理装置９０を浚渫を行う貯水池近傍の陸地に設置する。また、台船１０を浚渫を行う貯水池に浮かべる。この台船１０には送水ホース１２で繋がった送水ポンプ２０が設置されている。
【００２９】
次に、台船１０に作業者が搭乗し、台船１０を浚渫場所に移動させる。そして、竿等の測量器具を用いて浚渫場所の大まかな水深と底泥の厚みを把握する。次に、作業者は昇降機１６を操作して送水ポンプ２０を貯水池中に投入する。次に、作業者は分離処理装置９０側の作業者に対し、送水ポンプ２０の稼働を要求する。分離処理装置９０側の作業者はこの要求を受けて、送水ポンプ制御盤を操作し送水ポンプ２０を稼働する。これにより、ポンプ本体部２１内のモータが回転し、インペラ２３と攪拌羽根２６とが回転動作する。そして、貯水池の水はケーシング２２の取水口から吸引され送水ホース１２を介して分離処理装置９０に圧送される。
【００３０】
次に、台船１０側の作業者は昇降機１６を操作して送水ポンプ２０を貯水池中の適切な位置に保持する。この適切な位置とは、送水ポンプ２０の吸引する底泥スラリの濃度が５％〜１０％となる位置である。尚、底泥スラリの濃度は分離処理装置９０側の作業者が目視等で確認し、適宜、台船１０側の作業者に連絡して調整する。
【００３１】
送水ポンプ２０が底泥の表層近傍の適切な位置に保持されると、攪拌羽根２６が底泥を攪拌するとともに、攪拌羽根２６の回転動作によって発生する下向きの水流が底泥を舞い上げる。舞い上げられた底泥はインペラ２３の回転動作により貯水池の水ごとケーシング２２の取水口から吸引され、底泥スラリとして送水ホース１２を介して分離処理装置９０に圧送される。このとき、底泥中に混在する落ち葉、枯枝、水生植物の葉茎根、ビニール等のゴミ類は、ケーシング２２の取水口に設置されたカッタ２４と回転するインペラ２３及び攪拌羽根２６との間で適度な大きさに破砕される。これにより、これらゴミ類の送水ポンプ２０への絡まりや、ケーシング２２内や送水ホース１２内における目詰りを防止することができる。また、攪拌羽根２６は空き缶等の比較的大型で硬質な夾雑物を跳ね飛ばして、これら夾雑物が送水ポンプ２０で吸引されることを防止する。尚、底泥が厚い場合には、表層近傍の底泥を浚渫した後、徐々に送水ポンプ２０を降下させ底泥を掘り下げるようにして浚渫して行くことが好ましい。
【００３２】
送水ポンプ２０によって吸引、圧送された底泥スラリは送水ホース１２を通って遠心分離部３０の外筒３２ａに横方向を向けて吐出される。そして、吐出された底泥スラリは外筒３２ａ内を渦を巻いて流下する。このとき、砂や小石等の比較的重い重量物は遠心分離部３０の外筒３２ａに沿って下方へ落下し、遠心分離部３０のホッパ部３４に堆積する。また、その他の底泥スラリは内筒３２ｂの下端から内筒３２ｂ内を通って夾雑物選別部４０側へ搬送される。尚、ホッパ部３４に堆積した重量物は開閉コック３６ａを適宜開閉することで排出口３６から排出され、廃棄や選別等のしかるべき処理が行われる。
【００３３】
また、遠心分離部３０を通過した底泥スラリは配管５ａを介して夾雑物選別部４０の流量測定升４４に吐出され、分離処理装置９０側の作業者はこの流量測定升４４によって底泥スラリの流量を把握する。そして、送水ポンプ制御盤を操作して底泥スラリが適正な流量となるように送水ポンプ２０の回転数を調整する。また、底泥スラリの濃度を目視等で確認し、濃度が適正でない場合、台船１０側の作業者に指示して送水ポンプ２０の位置調整を行わせる。
【００３４】
流量測定升４４を通った底泥スラリは、夾雑物選別部４０の夾雑物選別装置４２に吐出される。そして、この夾雑物選別装置４２において、底泥スラリ中に混入した夾雑物、即ち、カッタ２４で破砕されたゴミ類等が選別除去される。尚、本例では夾雑物選別装置４２としてベルトスクリーンを用いた例を図示しており、選別された夾雑物はベルトスクリーンの移動によって自動的に排出される。排出された夾雑物は例えばスライダ４６上を滑り落ちて、夾雑物集積用袋等に落下し、廃棄等のしかるべき処理に付される。
【００３５】
夾雑物選別部４０で夾雑物が除去された底泥スラリは、鉄粒混合部７０の鉄粒添加槽７２ａに吐出される。また、鉄粒添加槽７２ａには新品もしくは鉄粒遠心分離部７６で分離した多孔質鉄粒が投入され、攪拌装置５２によって混合攪拌される。また、鉄粒添加槽７２ａには鉄粒混合槽７２ｂが接続しており、多孔質鉄粒が混合した底泥スラリは各槽の攪拌装置５２によって攪拌されながら、下流の鉄粒混合槽７２ｂ側に順次移動する。そして、底泥スラリ中に溶出している重金属成分は、これら鉄粒添加槽７２ａ、鉄粒混合槽７２ｂ内において、スラリ中に混合した多孔質鉄粒の微細孔によって吸着捕集される。尚、鉄粒混合部７０における底泥スラリの停留時間は前述のように鉄粒混合槽７２ｂの連結数によって最適化され、最下流の鉄粒混合槽７２ｂにおいては溶出している重金属成分がほぼ多孔質鉄粒によって吸着捕集され所定の濃度以下となる。
【００３６】
また、第２送水ポンプ７４は最下流の鉄粒混合槽７２ｂの底泥スラリを多孔質鉄粒ごと吸引し、送水ホース１２ａを通して鉄粒遠心分離部７６の外筒３２ａに横方向を向けて吐出する。吐出した底泥スラリは外筒３２ａ内を渦を巻いて流下する。このとき、比重の重い多孔質鉄粒は鉄粒遠心分離部７６の外筒３２ａに沿って下方へ落下し、ホッパ部３４に堆積する。また、底泥スラリは内筒３２ｂの下端から内筒３２ｂ内を通って凝集分離槽５０側へ搬送される。尚、ホッパ部３４に堆積した多孔質鉄粒は開閉コック３６ａを適宜開閉することで排出口３６から鉄粒添加槽７２ａ内に排出され再利用される。また、所定回数もしくは所定水量の処理に用いられた多孔質鉄粒は鉄粒回収部７８へと排出され、吸着した重金属成分ごと然るべき方法により処分される。これにより、底泥スラリ中に溶出している重金属成分は除去される。ただし、固体の重金属成分は底泥とともに凝集分離槽５０側へと排出される。
【００３７】
次に、鉄粒遠心分離部７６で多孔質鉄粒と分離した底泥スラリは凝集分離槽５０の内槽５０ｂに吐出される。また、この内槽５０ｂには凝集剤投入部５１から無機中性凝集剤が投入され攪拌装置５２によって吐出された底泥スラリと混合攪拌される。ここで投入する無機中性凝集剤としては、脱水後の凝集物からの重金属成分の溶出を抑制するものを用いる。具体的には、石膏を主成分とした無機中性凝集剤を用い、さらに具体的にはアルミナ・ケイ酸塩を主体とする天然鉱物３０〜５０重量％と硫酸カルシウム４５〜６５重量％と有機系凝集剤１〜５重量％とから成る主成分１００重量部に対し、硫酸アルミニウム３０〜５０重量部、塩化アルミニウム５〜１０重量部、およびアルカリ金属炭酸塩２０〜４０重量部が配合された無機中性凝集剤を用いることが特に好ましい。
【００３８】
そして、この無機中性凝集剤の添加により、底泥スラリ中の泥、ヘドロ等の底泥は固体の重金属成分とともに凝集し下方のホッパ部５０ａに沈殿する。そして、沈殿した凝集底泥は凝集分離槽５０への新たな底泥スラリの流入によりホッパ部５０ａに接続された配管５ｂに押し出され、この配管５ｂを通って濃縮槽６０の上部に吐出する。また、凝集分離槽５０の上澄み水は水配管７ａを通して貯水池に放流される。尚、本発明に用いる無機中性凝集剤は石膏を主成分としており、水のｐＨを変化させたり、動植物に悪影響を与える成分を含有していない。また、この上澄み水は鉄粒混合部７０によって水中に溶出した重金属成分が捕集済みであるから、分離した上澄み水をそのまま貯水池に放流することができる。
【００３９】
濃縮槽６０に吐出された凝集底泥は、この濃縮槽６０で静置され濃縮槽６０の下方のホッパ部６０ａに沈降してさらに濃縮される。そして、この濃縮底泥は、濃縮槽６０への新たな凝集底泥の流入によりホッパ部６０ａに接続された配管５ｃに押し出され、この配管５ｃを通って脱水部８０に搬送される。また、濃縮槽６０の上澄み水は水配管７ｂを通して貯水池に放流される。
【００４０】
また、配管５ｃから吐出された濃縮底泥は脱水部８０のスラリーダム部８１に溜まり、この状態で濾布８２が一定速度で移動することで濾布８２上にほぼ一定の厚みで堆積する。濾布８２上に堆積した濃縮底泥は吸引部８３に搬送され、この吸引部８３によって濾布８２の裏面側から過剰な水分が吸引除去される。吸引された水分は排水部８９を介して貯水池に放流される。次に、濾布８２はベルトプレス部８６に搬送される。ベルトプレス部８６は大ローラ８６ａと複数の小ローラ８６ｂとで構成される脱水ローラを有し、大ローラ８６ａが濃縮底泥側に位置し、小ローラ８６ｂが濾布８２の裏面側に位置する。そして、濃縮底泥は濾布８２ごと脱水ローラ８６ａ、８６ｂ間を通され、この脱水ローラ８６ａ、８６ｂの圧接によって脱水される。脱水された水分は排水部８９を介して貯水池に放流される。そして、この脱水部８０の脱水により、濃縮底泥は含水率が５０％〜５５％程度の脱水底泥となる。この脱水底泥はスクレイパ８７によって剥ぎ取られ、脱水底泥回収袋１等に送られて回収される。
【００４１】
尚、本発明に係る浚渫システム１００は、基本的に貯水池から鉄粒混合部７０までの底泥スラリの搬送を送水ポンプ２０の圧送と自然流下で行い、また鉄粒混合部７０から凝集分離槽５０、濃縮槽６０、脱水部８０までの底泥スラリ等（底泥及び上澄み水）の搬送を第２送水ポンプ７４の圧送と自然流下で行う。そして、特に凝集分離槽５０、濃縮槽６０、脱水部８０間の底泥の移動を自然流下によって行う事で凝集底泥、濃縮底泥が再分散されることがなく、濃縮底泥を高濃度のまま脱水部８０に搬送することができる。
【００４２】
ここで、図５の表に、未処理の底泥スラリの上澄み液、多孔質鉄粒処理のみの底泥スラリの上澄み液、無機中性凝集剤処理のみの上澄み液、多孔質鉄粒＋無機中性凝集剤処理後の上澄み液の各液中のヒ素濃度及びｐＨを示す。また、各試料の脱水底泥を水中に浸漬した時のヒ素の溶出試験の結果（濃度）を示す。尚、試料Ａ−１〜Ａ−４と試料Ｂ−１〜Ｂ−４とは底泥スラリの取得日が異なるものである。また、多孔質鉄粒の添加量は底泥スラリ１Ｌ当たり２０ｇとした。図５から、未処理の底泥スラリの試料Ａ−１、Ｂ−１の上澄み液のヒ素濃度は、それぞれ０．０１６ｍｇ／Ｌ、０．０３８ｍｇ／Ｌであったのに対し、多孔質鉄粒による吸着処理を行った試料Ａ−２〜Ａ−４、Ｂ−３、Ｂ−４のヒ素濃度はいずれも０．００６ｍｇ／Ｌ〜０．００３ｍｇ／Ｌであり、土壌汚染防止法のヒ素濃度の基準値０．０１ｍｇ／Ｌよりも低い値を示した。よって、本願発明の多孔質鉄粒は溶出した重金属成分を効果的に捕集可能なことが判る。ただし、多孔質鉄粒処理のみの試料Ａ−２の溶出試験結果は０．０１２ｍｇ／Ｌと未処理の底泥スラリ試料Ａ−１と同等の値であり、多孔質鉄粒では底泥中の重金属成分は捕集できないことが判る。また、無機中性凝集剤処理のみの試料Ｂ−２は上澄み液のヒ素濃度が０．０３４ｍｇ／Ｌと未処理の底泥スラリの試料Ｂ−１と同等の値であり、無機中性凝集剤のみではスラリ中に溶出している重金属成分の捕集はできないことが判る。
【００４３】
また、無機中性凝集剤処理を行っていない未処理の底泥スラリの試料Ａ−１、Ｂ−１及び多孔質鉄粒処理のみの試料Ａ−２の脱水底泥の溶出試験におけるヒ素濃度は、それぞれ０．０１２ｍｇ／Ｌ、０．０１４ｍｇ／Ｌ、０．０１２ｍｇ／Ｌであったのに対し、本願発明の無機中性凝集剤によって凝集した脱水底泥の試料Ａ−３、Ａ−４、Ｂ−３、Ｂ−４の溶出試験のヒ素濃度は、無機中性凝集剤の添加量が底泥の乾燥重量に対して０．９５ｗｔ％の試料Ａ−３のものが０．００６ｍｇ／Ｌを示したものの、添加量１．５ｗｔ％〜３．０ｗｔ％のものは測定下限値未満でありいずれも基準値０．０１ｍｇ／Ｌよりも低い値を示した。これらのことから、本願発明の無機中性凝集剤を用いることで底泥中の重金属成分は底泥とともに固定不溶化され、外部への溶出が防止されることが判る。尚、無機中性凝集剤処理のみの試料Ｂ−２は溶出試験のヒ素濃度が０．００７ｍｇ／Ｌと比較的高い値を示したが、これはスラリ中の溶出ヒ素を除去していないためである。
【００４４】
尚、ｐＨに関しては、試料Ａ−２〜Ａ−４、試料Ｂ−１〜Ｂ−４間で大きな変化は無く、本願発明の無機中性凝集剤は水質（ｐＨ）に大きな影響を与えないことが判る。
【００４５】
以上のように、本願発明の浚渫システム１００は、水中に溶出している重金属成分は多孔質鉄粒が捕集除去して環境基準値以下にするとともに底泥中の重金属成分は無機中性凝集剤が固定不溶化し外部への溶出を防止する。また、本願発明が使用する無機中性凝集剤は添加の前後で水質を大きく変化させず、また動植物に有害な成分を含有しない。よって、本願発明の浚渫システム１００により分離した上澄み水は浚渫した貯水池にそのまま放流することが可能であり、貯水池の機能を維持したまま浚渫作業を行うことができる。また、貯水池に生息する動植物の生態系を維持することができる。また、浚渫により生じた脱水底泥は重金属成分が溶出しないため植物栽培用の培養土として使用することができる。これにより、環境に対する負荷を軽減することができる。さらに、重金属成分を吸着した多孔質鉄粒の量は脱水底泥の量に比較して少ないため、処分コストの削減を図ることができる。
【００４６】
またさらに、本発明に係る浚渫システム１００は、多孔質鉄粒の分離を遠心分離装置（鉄粒遠心分離部７６）のみで行う。これにより、多孔質鉄粒の分離を短時間で効率良く行う事が可能となり、底泥スラリに対する高い処理能力を有する。
【００４７】
またさらに、本発明に係る浚渫システム１００は［特許文献１］に記載の発明と同様、貯水池の遮水作業、排水作業が不要で、作業期間の短縮と低コスト化を図ることができる。また、分離処理装置９０を設置して底泥の処理を行うため、従来の重機を使用した浚渫と比較して、省スペースで浚渫作業を行うことができる。また、分離処理装置９０は分解して現地にて組立てが可能なため、大型の運搬車両が進入できない貯水池に対しても浚渫作業を行うことができる。
【００４８】
尚、本例で示した浚渫システム１００、分離処理装置９０、鉄粒混合部７０等の各部の形状、構成、動作機構、配管経路等は一例であり、本発明は本発明の要旨を逸脱しない範囲で変更して実施することが可能である。
【符号の説明】
【００４９】
２０    送水ポンプ
３０    遠心分離部（スラリ分離部）
４０    夾雑物選別部（スラリ分離部）
５０    凝集分離槽
７０    鉄粒混合部
７２ａ  鉄粒添加槽
７２ｂ  鉄粒混合槽
７４    第２送水ポンプ
７６    鉄粒遠心分離部
８０    脱水部
１００  浚渫システム
【要約】
【課題】水質を大きく変化させずに重金属成分を除去もしくは不溶化して、水は貯水池に環流し底泥は培養土として回収する浚渫システムを提供する。
【解決手段】この浚渫システム１００は、水中に溶出している重金属成分は多孔質鉄粒が捕集除去して環境基準値以下にするとともに底泥中の重金属成分は無機中性凝集剤が固定不溶化し外部への溶出を防止する。また、使用する無機中性凝集剤は添加の前後で水質を大きく変化させず、また動植物に有害な成分を含有しない。よって、この浚渫システム１００により分離した上澄み水は浚渫した貯水池にそのまま放流することが可能であり、貯水池の機能を維持したまま浚渫作業を行うことができる。また、浚渫により生じた脱水底泥は重金属成分が溶出しないため植物栽培用の培養土として使用することができる。
【選択図】図１【図１】
0006739815.tif 000002
【図２】
0006739815.tif 000003
【図３】
0006739815.tif 000004
【図４】
0006739815.tif 000005
【図５】
0006739815.tif 000006